(57)【要約】【目的】工作機械の摺動面保護カバーでヘッドカバーの両側部に互いに対向するカバーが複数組み連結摺動する事を目的とする。【構成】ヘッドカバーの両側に対向して設けた第１カバー間をパイプで固着し、そのパイプを貫通するパイプで対向するカバー間を固着する事により連結機構を形成する。【選択図】図１−Ａ
0003097977.tif 000002
【実用新案登録請求の範囲】
【請求項１】
工作機械の摺動面保護カバーで、中央部にヘッドカバーを有し、そのヘッドカバーを挟んでその両側に一つの天壁、二つの側壁、一つの型壁にて形成する複数の薄板鉄板製保護カバーで構成し、自在に摺動するヘッドカバーの両側にそれぞれ追従して摺動する第１保護カバーに第２保護カバーの如く、それぞれ少なくとも二つの保護カバーを順次いれこ状に組み合わせ、最後段の固定保護カバーのみ一つの天壁、二つの側壁、二つの肩壁をそれぞれ設けた伸縮自在に摺動する工作機の摺動面保護カバーで、前記、ヘッドカバーを挟んでその両側に対向して設けた第１カバー間、第２カバー間の最終段の固定保護カバーを除く、複数のカバー間を連結してなる保護カバーにおいて
中央のヘッドカバーＨの側部延設部ＥにパイプＰ１を固着し、ヘッドカバーＨと隣設する第１カバーＡ１とそれに対向する第１カバーＢ１のそれぞれその側部延設部ＥＡ１及びＥＢ１に前記パイプＰ１の内径部を貫通するパイプＰ２を固着し、第１カバーと隣設する第２カバーＡ２とそれに対向して設けた第２カバーＢ２のそれぞれの側部延設部ＥＡ２及びＥＢ２に前記パイプＰ２の内径部を貫通するパイプＰ３を固着し、同様に第２カバーと隣設する第３カバーＡ３とそれに対向して設けた第３カバーＢ３のそれぞれの側部延設部ＥＡ３及びＥＢ３に前記パイプＰ３の内径部を貫通するパイプＰ４を固着し、ヘッドカバーＨと第１カバーＡ１，Ｂ１間、第１カバーＡ１，Ｂ２と第２カバーＡ２，Ｂ２間、第２カバーＡ２，Ｂ２と第３カバーＡ３，Ｂ３間のそれぞれの対向する間に衝撃吸収用ゴム状弾性体を設け、前記パイプで中央のヘッドカバーとその両側部に対向して配設した少なくとも一組のカバー間を連結する機構を少なくとも一列有することを特徴とするテレスコカバーの連結装置。
【請求項２】
工作機械の摺動面保護カバーで、中央部にヘッドカバーを有し、そのヘッドカバーを挟んでその両側に一つの天壁、二つの側壁、一つの型壁にて形成する複数の薄板鉄板製保護カバーで構成し、自在に摺動するヘッドカバーの両側にそれぞれ追従して摺動する第１保護カバーに第２保護カバーの如く、それぞれ少なくとも二つの保護カバーを順次いれこ状に組み合わせ、最後段の固定保護カバーのみ一つの天壁、二つの側壁、二つの肩壁をそれぞれ設けた伸縮自在に摺動する工作機の摺動面保護カバーで、前記、ヘッドカバーを挟んでその両側に対向して設けた第１カバー間、第２カバー間の最終段の固定保護カバーを除く、複数のカバー間を連結してなる保護カバーにおいて
中央のヘッドカバーＨの側部延設部ＥにチャンネルＣ１を固着し、ヘッドカバーＨと隣設する第１カバーＡ１とそれに対向する第１カバーＢ１のそれぞれその側部延設部ＥＡ１及びＥＢ１に前記チャンネルＣ１の内径部を貫通するチャンネルＣ２を固着し、第１カバーと隣設する第２カバーＡ２とそれに対向して設けた第２カバーＢ２のそれぞれの側部延設部ＥＡ２及びＥＢ２に前記チャンネルＣ２の内径部を貫通するチャンネルＣ３を固着し、同様に第２カバーと隣設する第３カバーＡ３とそれに対向して設けた第３カバーＢ３のそれぞれの側部延設部ＥＡ３及びＥＢ３に前記チャンネルＣ３の内径部を貫通するチャンネル４を固着し、ヘッドカバーＨと第１カバーＡ１，Ｂ１間、第１カバーＡ１，Ｂ２と第２カバーＡ２，Ｂ２間、第２カバーＡ２，Ｂ２と第３カバーＡ３，Ｂ３間のそれぞれの対向する間に衝撃吸収用ゴム状弾性体を設け、前記チャンネルで中央のヘッドカバーとその両側部に対向して配設した少なくとも一組のカバー間を連結する機構を少なくとも一列有することを特徴とするテレスコカバーの連結装置。
【考案の詳細な説明】
【０００１】
本考案は、工作機械等の摺動部を切子や粉塵、又切削油等液体が機械内部に侵入しないように保護する目的で用いられる保護カバーのカバー間の連結方式に関する。以下にその一実施例を図面に従って説明するする。
【０００２】
図１−Ａ及び図１−Ｂに於いて、工作機械のヘッドカバーＨの両側にいれこ状に対向して設けたカバーＡ１，Ｂ１の側部延設部ＥＡ１，ＥＢ１間を、ヘッドカバーＨの側部延設部Ｅに固着したパイプＰ１を貫通するパイプＰ２の両端にそれぞれ固着一体となし、カバーＡ１，Ｂ１に対してそれぞれいれこ状にカバーＡ２，Ｂ２を対向して設け、それらの側部延設部ＥＡ２，ＥＢ２間を、前記パイプＰ２を貫通するパイプＰ３の両端にそれぞれ固着一体となし、同様にして対向して設けたカバーＡ３，Ｂ３間をパイプＰ３を貫通するパイプＰ４の両端にそれぞれ固着一体となし、カバーの伸縮時に於いてヘッドカバーＨとカバーＡ１又はカバーＢ１間に当接時の衝撃を吸収するゴム状弾性体よりなるクッションＣＡ１又はＣＢ２を設け、同様にカバーＡ１，Ａ２間にクッションＣＡ２をカバーＡ２，Ａ３間にクッションＣＡ３を、又同様にカバーＢ１，Ｂ２間にクッションＣＢ２をカバーＢ２，Ｂ３間にクッションＣＢ３をそれぞれ設ける事によって伸縮時に於いて、、衝撃吸収式にそれぞれのカバー間を連結する。尚、図１−Ａは前記パイプによる連結機構をカバー内部に設けた場合で、図１−Ｂは前記パイプによる連結機構をカバーの外部に設けた場合で本カバーの用途により何れかを選択する。又、上記説明では図中手前側に連結機構がある場合について説明したが，摺動バランスを安定にするには説明を省略したが奥側」に設けることが望ましい。又、図１−Ａ及び図１−Ｂではパイプ形状を丸型パイプにて示し、角型パイプの場合の図示は省略した。
【０００３】
図２は連結用パイプ及びチャンネルの断面図で、図示を一部省略するが、パイプＰ１，Ｐ２，Ｐ３，Ｐ４が順次重なり合い、それらが図１−Ａ及び図１−Ｂに示す、それぞれ対向して配設した第１カバーＡ１、Ｂ１間をパイプＰ１で第２カバーＡ２，Ｂ２間をパイプＰ２で第３カバーＡ３，Ｂ３間をパイプＰ３でそれぞれのカバーに延設部ＥＡ１とＥＢ１、ＥＡ２とＥＢ２、ＥＡ３とＥＢ３の間を連結している事を示す。
図３−Ａ、図３−Ｂ、図３−Ｃは前記、連結用パイプがチャンネルの場合について示すもので、図３−Ａの開放面が下の場合の、図３−Ｂの開放面が右側、図３−Ｃの開放面が左側の場合を示す。以上、ヘッドカバーの両側部に対向する複数のカバー間をそれぞれパイプ及びチャンネルで固着する事により連結されたことを特徴とする工作機械の摺動面保護カバー。
【図面の簡単な説明】
【図１−Ａ】本考案工作機械の摺動面保護カバーの連結方式を中心にした斜視図を示す。
【図１−Ｂ】本考案工作機械の摺動面保護カバーの連結方式を中心にした斜視図を示す。
【図２】連結用パイプで丸型及び角型パイプの共通の断面図を示す。
【図３−Ａ】チャンネル式連結部材の斜視図を示す。
【図３−Ｂ】チャンネル式連結部材の斜視図を示す。
【符号の説明】
Ｈ…………………………………ヘッドカバー
Ａ１，Ａ２，Ａ３………………カバー
Ｂ−１，Ｂ−２，Ｂ−３………カバー
Ｐ１，Ｐ２，Ｐ３，Ｐ４………パイプ
Ｅ，ＥＡ１，ＥＡ２，ＥＡ３…カバーの側部延設部
ＥＢ１，ＥＢ２，ＥＢ３………カバーの側部延設部
ＣＡ１，ＣＡ２，ＣＡ３………クッション
ＣＢ１，ＣＢ２，ＣＢ３………クッション
Ｃ１，Ｃ２，Ｃ３，Ｃ４………連結用チャンネル
【図１−Ａ】
0003097977.tif 000003
【図１−Ｂ】
0003097977.tif 000004
【図２】
0003097977.tif 000005
【図３−Ａ】
0003097977.tif 000006
【図３−Ｂ】
0003097977.tif 000007
【図３−Ｃ】
0003097977.tif 000008
【手続補正書】
【提出日】平成15年7月10日(2003.7.10)
【手続補正１】
【補正対象書類名】明細書
【補正対象項目名】図３−Ｃ
【補正方法】追加
【補正の内容】
【図３−Ｃ】チャンネル式連結部材の斜視図を示す。